(57)【特許請求の範囲】
【請求項１】
画像を表示するように構成されたディスプレイと、
前記ディスプレイによって示される画像を、最新に取り込まれた次の画像に変更するように構成された第１のボタンと、前記ディスプレイによって示される画像を、以前に取り込まれた次の画像に変更するように構成された第２のボタンとを有する簡易画像表示制御インタフェースとを備え、
前記第１のボタンは、さらに、最新に取り込まれた次の画像が存在しない場合にライブ・プレビューを表示するように構成され、前記第２のボタンは、さらに、以前に取り込まれた次の画像が存在しない場合に前記ディスプレイの電源を切るように構成されていることを特徴とする画像を表示するための表示インタフェース。
【請求項２】
前記ディスプレイによって示される画像に関連したデータを削除するように構成された第３のボタンをさらに備え、
前記第３のボタンは、さらに、前記ディスプレイによって示される前記画像に関連する削除すべきデータが存在しない場合には前記ディスプレイの電源を切るように構成されていることを特徴とする請求項１に記載の画像を表示するための表示インタフェース。
【請求項３】
少なくとも１つの取り込み画像に対応するデータを格納するように構成されたメモリと、
前記メモリに接続され、前記第１のボタンおよび前記第２のボタンから信号を受信するように構成され、前記第１のボタンおよび前記第２のボタンによって指定される取り込み画像に関連するデータを前記メモリから取り出すようにさらに構成されているプロセッサユニットと、
をさらに備えることを特徴とする請求項１に記載の画像を表示するための表示インタフェース。
【請求項４】
ディスプレイ上の画像の表示を制御するための方法であって、
第１の制御ボタンおよび第２の制御ボタンを有する簡易画像表示制御インタフェースの作動を検出することと、
前記第１の制御ボタンが作動されると、前記ディスプレイ上に最新に取り込まれた次の画像を表示することと、
前記第２の制御ボタンが作動されると、前記ディスプレイ上に以前に取り込まれた次の画像を表示することと、
前記第１の制御ボタンが作動される場合に、前記ディスプレイ上で表示する、最新に取り込まれた次の画像があるかどうかを判断することと、
前記最新に取り込まれた次の画像がない場合には、画像センサによって検出される現在の画像を表示することと、
を含むことを特徴とする方法。
【請求項５】
前記現在の画像が表示される場合に、前記第１の制御ボタンの作動に応答して前記ディスプレイの電源を切ることをさらに含むことを特徴とする請求項４に記載の方法。
【請求項６】
前記第２の制御ボタンが作動される場合に、前記ディスプレイ上で表示する、以前に取り込まれた次の画像があるかどうかを判断することと、
前記以前に取り込まれた次の画像がない場合、前記第２の制御ボタンの作動に応答して前記ディスプレイの電源を切ることと、
をさらに含むことを特徴とする請求項４に記載の方法。
【請求項７】
第３の制御ボタンをさらに有する前記簡易画像表示制御インタフェースの作動を検出することと、
前記第３の制御ボタンが作動される場合には、前記ディスプレイ上に示される画像に関連するデータを削除することと、
をさらに含むことを特徴とする請求項４に記載の方法。
【請求項８】
前記ディスプレイの電源が切れているかどうかを判断することと、
前記ディスプレイの電源が切れている場合、前記第１の制御ボタンおよび前記第２の制御ボタンのうちの一方の作動の検出に応答して前記ディスプレイの電源を入れることと、
をさらに含むことを特徴とする請求項４に記載の方法。
【請求項９】
第１の制御ボタン、第２の制御ボタンおよび第３の制御ボタンを有する簡易画像表示制御インタフェースの作動を検出する手段と、
前記第１の制御ボタンが作動される場合、最新に取り込まれた次の画像を前記ディスプレイ上に表示する手段と、
前記第２の制御ボタンが作動される場合、前記ディスプレイ上に示される画像に関連するデータを削除する手段と、
前記第３の制御ボタンが作動される場合、以前に取り込まれた次の画像を前記ディスプレイ上に表示する手段と、
前記第１の制御ボタンが作動される場合に、前記ディスプレイ上で表示する、前記最新に取り込まれた次の画像があるかどうかを判断する手段、および前記最新に取り込まれた次の画像がない場合には、画像センサによって検出される現在の画像を表示する手段と、
前記第２の制御ボタンが作動される場合、前記ディスプレイ上に示される画像に関連するデータが削除に用いることが可能かどうかを判断する手段、および前記データが用いられない場合、画像センサによって検出される現在の画像を表示する手段と、
前記第３の制御ボタンが作動される場合、前記ディスプレイ上で表示する、前記最新に取り込まれた次の画像があるかどうかを判断する手段、および前記最新に取り込まれた次の画像がない場合には、画像センサによって検出される現在の画像を表示する手段と、
を備えることを特徴とするディスプレイ上の画像の表示を制御するためのシステム。
【請求項１０】
デジタル画像取込装置と、
画像を表示するように構成された、前記デジタル画像取込装置に備わっているディスプレイと、
最新に取り込まれた画像が表示された後に前記ディスプレイ上にライブ・プレビューを表示するように構成された第１のボタン、および最も古い取り込み画像が表示された後に前記ディスプレイの電源を切るように構成された第２のボタンを有する簡易画像表示制御インタフェースと、
を備えることを特徴とする画像を表示するための表示インタフェース。
【発明の詳細な説明】
【０００１】
【発明の属する技術分野】
本発明は、概して、デジタル画像の記録および処理に関し、特に、デジタルカメラを操作するための簡略化された、ユーザフレンドリなインタフェースを提供するためのシステムおよび方法に関する。
【０００２】
【従来の技術】
画像を「撮影」し、その画像をデジタルデータ形式で提供することが可能なデジタル・ベースの画像取込装置の出現により、画像のデジタル「写真」は、画像取込装置内に存在するかまたは接続されたメモリに格納（保存）される。デジタル画像取込装置の例としては、特に限定はされないが、静止画像および／またはビデオ画像を取り込むデジタルカメラが挙げられる。
【０００３】
技術の進歩により、フィルム・ベースのカメラの品質に対抗するデジタルカメラの開発が可能になった。さらに、デジタルカメラ・インタフェースは、写真の知識がある人が、シャッタ速度、絞り、フラッシュ、ズームおよび他の機能などの写真撮影の機能性を制御し得るように、フィルムカメラ制御装置を模倣して設計されている。
【０００４】
【発明が解決しようとする課題】
しかし、デジタルカメラは、本質的には、進歩したデジタル撮像技術を用いる特定用途のコンピュータである。初めてのユーザにとっては、複雑なデジタルカメラは操作するのが困難であるかも知れない。従って、多くの消費者は、使いやすいフィルム・ベースのカメラを手放す気にはなれない。
【０００５】
コンピュータに精通していない消費者は、デジタルカメラの特徴の多くがパーソナルコンピュータとの類似に基づいているという点で、デジタルカメラに対して厄介と感じかも知れない。例えば、写真は、デジタル情報としてデジタルカメラ・メモリ内に格納される。このデジタル情報は、例えば、印刷デバイスがデジタル画像のハードコピーを作成するために用いられ得るように、またはデジタル画像が他の機器に電子的に転送され得るように、パーソナルコンピュータに簡便に転送され得る。従って、デジタルカメラの所有者は、カメラを操作し、取り込み画像を目に見える画像に処理するためには、ある程度コンピュータに精通している必要がある。ユーザがフィルムを挿入し、写真を撮り、現像のために単にフィルムを店頭に預けるだけのフィルム・ベースのカメラと比較すると、複雑なデジタルカメラは、ユーザがコンピュータに精通していない場合には、ユーザの受け入れの障害となり得る。
【０００６】
したがって、使いやすいデジタルカメラ表示インタフェースためのシステムおよび方法に対してこれまで対処されてこなかった必要が存在する。このような使いやすい表示インタフェースは、デジタルカメラのユーザがコンピュータに精通しているか、または写真技術の知識があることを必ず要求しなくてはならないわけではない。すなわち、デジタルカメラ・インタフェースの操作特性は、デジタルカメラの実質的にいかなるユーザに対しても簡単に明白にならなければならない。また、このような使いやすい表示インタフェースは、手の使用が制限され得る個人によっても使いやすくなければならない。さらに、インタフェースは、製造コストをさらに低下させるために、最小数の構成要素を用いなければならない。
【０００７】
【課題を解決するための手段】
本発明は、上記の従来技術の欠点および不足を克服する。本発明の簡易画像表示制御インタフェースは、複数の取り込み画像の簡単かつ簡便な取出（検索）および閲覧のためのシステムおよび方法を提供する。以下に記載するように、２つの制御ボタンを作動させることにより、カメラプロセッサは、取り込み画像に対応するデジタル画像データをデジタルカメラ・メモリから取り出し、その画像をディスプレイ上に表示する。２つの制御ボタンは、デジタルカメラ・メモリに格納されている複数の取り込み画像を後方または前方へスクロールするためのものである。第３の制御ボタンは、表示されている画像に対応するメモリ内のデータを削除するために設けられている。
【０００８】
ユーザが画像を前方へスクロールしてより最近取り込んだ画像をプレビューすると、最終的には、最新に取り込まれた画像が表示される。１つの実施形態では、次に前方スクロールボタンを作動させると、ライブ・プレビューが表示される。すなわち、デジタルカメラによって現在検出されている画像が、デジタルカメラディスプレイ上に表示される。他の実施形態では、再び前方スクロールボタンを作動させると、ディスプレイの電源は切られ、限りのあるバッテリ電源が節約される。同様に、ユーザが画像を後方にスクロールして先に取り込んだ画像をプレビューすると、最終的には、一番先に取り込んだ画像に到達する。１つの実施形態では、次に後方スクロールボタンを作動させると、カメラディスプレイの電源は切られる。
【０００９】
図面の要素は、必ずしも互いに一律の縮尺に従っていない。同様の参照符号は、いくつかの図面において対応する部分を指す。
【００１０】
【発明の実施の形態】
図１は、以下にさらに詳細に記載する、３つの制御ボタン１０４、１０６および１０８を用いる簡易画像表示制御インタフェース１０２を用いるデジタルカメラ１００を例示するブロック図である。デジタルカメラ１００はさらに、少なくとも、レンズユニット１１０、画像取り込み操作ボタン１１２、ファインダー用レンズ１１４、電源スイッチ１１６、メモリユニットインタフェース１１８およびプラグイン・インタフェースユニット１２０を有する。プラグイン・インタフェースユニット１２０は、複数の接続ピン１２２を有する。ディスプレイ１２４は、取り込み前の画像をプレビューするまたは取り込み画像を見るために用いられる。例示を簡便にするため、ディスプレイ１２４は、デジタルカメラ１００の上部に例示されている。
【００１１】
デジタルカメラ１００の操作は、電源スイッチ１１６または同様の機能性を有する等価のデバイスを作動させる（操作する）ことによって開始される。デジタルカメラ１００に電源が投入されても、ディスプレイ１２４は電源が切れたままの状態であり、デジタルカメラ１００の限られたバッテリ電源が節約される。以下にさらに詳細に記載するように、制御ボタン１０４、１０６および／または１０８のうちのいずれか１つを作動させることにより、ディスプレイ１２４に電源が投入され、デジタルカメラ１００のユーザ（図示せず）は、レンズユニット１１０を通して検出されている画像のライブ（実況的、リアルタイム）・プレビューを見ることができる。代わりに、前に取り込んだ画像またはメニュースクリーンの画像がまず表示されるようにしても良い。他の実施形態では、他のボタン、スイッチまたは制御インタフェースデバイスは、作動されるとディスプレイスクリーン１２４に電源を投入するように付加的に構成されている。
【００１２】
３つの制御ボタン１０４、１０６および１０８を用いる簡易画像表示制御インタフェース１０２は、従来技術のデジタルカメラの操作に技術的に精通していないかまたは身体的な障害および／または制限をもっているために従来技術のデジタルカメラの操作が困難であるデジタルカメラ１００のユーザにとって特に有益である。１つの実施形態では、制御ボタン１０４、１０６および１０８のそれぞれは、簡単にアクセスでき作動させやすいように、デジタルカメラ上に配置された比較的大きなボタンとなっている。
【００１３】
レンズユニット１１０は、光センサに画像に焦点を合わせるために用いられる既知のデバイスである。操作者は、取り込まれる画像に焦点を合わせ、それに満足すると、画像取り込み操作ボタン１１２（シャッターボタンまたはシャッターレリーズボタンとも呼ばれる）を作動させ、デジタルカメラ１００にデジタル画像を記録させ、画像を「撮影」する。デジタルカメラの操作者は、画像をディスプレイ１２４上に取り込む前に画像を視覚的にプレビューし、かつ／またはファインダー用レンズ１１４を通して直接画像を見る。デジタルカメラ１００の上記のこれらの個々の構成要素の詳細な操作については、簡易画像表示制御インタフェース１０２の一部として用いられる際にこれらの構成要素の操作および機能性を理解する必要がある場合を除き、本明細書では詳細に説明しない。
【００１４】
図１は、デジタルカメラによって取り込まれたデジタル画像が取り出され、処理され、印刷され、および／または電子メールで送信されるように、デジタルカメラとともに用いられ得る従来のパーソナルコンピュータ１２６をさらに例示する。パーソナルコンピュータ１２６は、少なくともプロセッサ１２８、メモリ１３０、インターネットインタフェース１３２、プリンタインタフェース１３４，メモリモジュールインタフェース１３６およびワイヤコネクタインタフェース１３８を有し得る。メモリ１３０はさらに、デジタルカメラ１００から取り出された画像データが格納される画像データ領域１４０を有する。パーソナルコンピュータ１２６はさらに、接続部（コネクション）１４４を介してディスプレイモニタ１４２と接続されているのが例示されている。ディスプレイモニタ１４２は、取り込み画像を見るためのディスプレイ１４６を有する。
【００１５】
デジタルカメラ１００の１つの実施形態では、デジタルカメラ１００は、ハードワイヤ（有線）接続部１４８を介して、取り込み画像をパーソナルコンピュータ１２６に転送する。接続部１４８は、プラグイン取り付け具１５０に接続されている。プラグイン取り付け具１５０は、プラグイン・インタフェースユニット１２０および接続ピン１２２に接続されるように構成されている。パーソナルコンピュータ１２６およびデジタルカメラ１００のユーザは、単にプラグイン取り付け具１５０をプラグイン・インタフェース１２０に接続し、それによってデジタルカメラ１００とパーソナルコンピュータ１２６との間の接続を確立する。次に、パーソナルコンピュータ１２６およびデジタルカメラ１００の操作者は、パーソナルコンピュータ１２６および／またはデジタルカメラ１００に対して、デジタル画像を、デジタルカメラ１００からワイヤコネクタインタフェース１３８、接続部１５２を介してプロセッサ１２８、次に、接続部１５４を介してメモリ１３０の画像データ領域１４０に転送するよう命令する。
【００１６】
他の実施形態では、デジタル画像データは、メモリモジュールユニット１５６に格納される。デジタルカメラ１００で画像を取り込むと、メモリモジュールユニット１５６は、メモリユニットインタフェース１１８を経由してデジタルカメラ１００に接続される。メモリモジュールユニット１５６をデジタルカメラ１００から取り外し、メモリモジュールユニット１５６をメモリモジュールインタフェース１３６に接続することによって、デジタル画像データはパーソナルコンピュータ１２６に転送される。典型的には、パーソナルコンピュータ１２６の表面には、簡便な接続ポートまたはインタフェース（図示せず）が設けられ、メモリモジュールユニット１５６は、破線で示す経路１５８で例示されているように、パーソナルコンピュータ１２６に直接接続されている。メモリモジュールユニット１５６が一旦メモリモジュールインタフェース１３６に接続されると、デジタル画像データは、接続部１６０を介してプロセッサ１２８を通り、メモリ１３０の画像データ領域１４０に接続部１５４を介して転送される。
【００１７】
パーソナルコンピュータ１２６のユーザが、上記のように、デジタルカメラ１００によって取り込まれた画像に対応するデジタル画像データにアクセスすると、パーソナルコンピュータ１２６のユーザは、選択された画像を、インターネットインタフェース１３２を介して他のデバイスに電子メールで送信し、プリンタインタフェース１３４を介して選択された画像を印刷し、かつ／または選択された画像をディスプレイモニタ１４２を介して見ることができる。例示を簡便にするため、プロッセッサ１２８は、接続部１６２を介してインターネットインタフェース１３２に接続されているのが例示されている。インターネットインタフェース１３２は、接続部１６４を介した外部通信システム（図示せず）へのパーソナルコンピュータ１２６の接続を簡単にする。同様に、プロセッサ１２８は、接続部１６６を介してプリンタインタフェースに接続されているのが例示されている。プリンタインタフェース１３４は、選択された画像が印刷されるように、パーソナルコンピュータ１２６に接続され得る印刷デバイス（図示せず）への接続を可能とするように構成されている。
【００１８】
便宜上、パーソナルコンピュータ１２６は、所定の構成要素のみが選択されたものとして例示されている。しかし、パーソナルコンピュータ１２６は、図１に例示されていないさらなる内部構成要素を含み得る。これらの図示されていないさらなる構成要素は、従来技術において既知であり、デジタルカメラ１００によって用いられる簡易画像表示制御インタフェース１０２の機能性および操作を理解するために必要な場合を除き、本明細書では詳細に説明しない。
【００１９】
デジタルカメラ１００はまた、図１に示さないさらなる構成要素を有する。このような構成要素については、本明細書で議論しない。このような構成要素は、簡易画像表示制御インタフェース１０２の操作および機能性には必ずしも関連しないからである。さらに、説明の都合上、デジタルカメラ１００は、デジタルカメラ１００の前部、上部および一方の側部のみを示す斜視図で例示されている。デジタルカメラ１００は、隠れた側に設けられているさらなる構成要素を有する。このような構成要素に関しては、本明細書では例示も議論もしていない。このような構成要素は、簡易画像表示制御インタフェース１０２とともに用いられる場合、デジタルカメラ１００の操作には必ずしも関連しないからである。しかし、このような構成要素（図示せず）が、簡易画像表示制御インタフェース１０２に付随するデジタルカメラ１００の操作に関連する程度に合わせて、このような構成要素については必要に応じて以下に説明する。
【００２０】
図１に例示する上記のデジタルカメラ１００の構成要素は、デジタルカメラ１００上の他の都合の良い位置に配置されてもよい。例えば、ディスプレイ１２４は、デジタルカメラ１００の隠れた後面に配置されてもよい。また、簡易画像表示制御インタフェース１０２の制御ボタン１０４、１０６および１０８は、デジタルカメラ１００の上面の異なる位置またはデジタルカメラ１００の後面などの隠れた面のうちのいずれか一面に設けられてもよい。簡易画像表示制御インタフェース１０２の制御ボタン１０４、１０６および１０８の配置は、デジタルカメラ１００のユーザが制御ボタン１０４、１０６および１０８に簡単かつ便利にアクセスできる限りにおいて、デジタルカメラ１００のいずれに配置されてもよい。
【００２１】
図２は、デジタルカメラ１００の選択された内部構成要素を例示するブロック図である。切り欠き線２０２は、デジタルカメラ１００の外面に設けられた構成要素と、デジタルカメラ１００の内部に設けられた構成要素との境界となっている。このように、簡易画像表示制御インタフェース１０２の制御ボタン１０４、１０６および１０８、レンズユニット１１０、画像取り込み操作ボタン１１２、電源スイッチ１１６、メモリユニットインタフェース１１８、プラグイン・インタフェース１２０およびディスプレイ１２４は、デジタルカメラ１００の表面に設けられた構成要素として認識される。
【００２２】
デジタルカメラ１００の内部構成要素は、２つの切り欠き線２０２の間に例示されている。デジタルカメラ１００の内部構成要素はさらに、少なくともカメラプロセッサ２０４、光センサ２０６、メモリ格納（保存）インタフェース２０８およびメモリ２１０を有する。メモリ２１０はさらに、データ管理論理（ロジック）２１２、カメラ画像データ２１４および画像表示制御論理２１６に対して割当てられた領域を含む。画像（図示せず）が光センサ２０６に対して焦点合わせされ得るように、光センサ２０６はレンズユニット１１０の背後の適切な位置に配置されている。光センサ２０６は、レンズユニット１１０を通して画像を検出し、検出された画像に対応する情報を、接続部２１８を介してカメラプロセッサ２０４に供給する。デジタルカメラが、光センサ２０６によって現在検出されている画像をディスプレイ１２４上で表示するモード（以下、ライブ・プレビューモードと呼ぶ）で動作しているとき、デジタルカメラ１００のユーザは、検出された現在の画像をプレビューし、検出された現在の画像を「撮影」したいかどうかを判断することができる。撮影したい場合には、デジタルカメラ１００のユーザは、カメラプロセッサ２０４が、光センサ２０６から受信した画像情報をメモリ２１０のカメラ画像データ領域２１４に転送するように、画像取り込み操作ボタン１１２を作動させる。すなわち、ユーザが画像取り込み操作ボタン１１２を作動させると、プロセッサ２０４は、光センサ２０６によって検出された現在の画像を、接続部２２４を介して、メモリ２１０に格納するのに適したデジタル画像データに再フォーマットする。
【００２３】
デジタルカメラ１１０のユーザが画像の「撮影」プロセスを続行すると、複数の取り込み画像に対応する複数のデジタル画像データがメモリ２１０のカメラ画像データ領域２１４に格納される。デジタルカメラ１００のユーザが画像の取り込みプロセスを完了すると、ユーザは、プラグイン取り付け具１５０（図１）をプラグイン・インタフェース１２０に接続することによって、デジタルカメラ１１０をパーソナルコンピュータ１２６（図１）に接続する。適切な命令をパーソナルコンピュータ１２６および／またはカメラプロセッサ２０４に与えることによって、取り込まれた画像のデータは、接続部２２６を介してカメラ画像データ領域２１４からパーソナルコンピュータ１２６に転送され、さらに処理される。
【００２４】
他の実施形態では、メモリモジュールユニット１５６（図１）は、メモリユニットインタフェース１１８を経由してデジタルカメラ１１０に接続されている。デジタルカメラ１００のユーザが、画像取り込み操作ボタン１１２を作動させ、光センサ２０６によって検出された現在の画像をカメラプロセッサ２０４に保存させると、カメラプロセッサ２０４は、接続部２２２を介して、画像データをメモリ格納インタフェース２０８に送信する。メモリ格納インタフェース２０８は、受信したデジタル画像データを、接続部２２８を介してメモリモジュールユニット１５６に転送するように構成する。さらに他の実施形態では、メモリ格納インタフェース２０８は含まれていない。この場合には、カメラプロセッサ２０４は、適切にフォーマットされたデジタル画像データを、接続部２２６を介して、パーソナルコンピュータ１２６（図１）に直接送信する。
【００２５】
画像取り込みプロセスの間または画像取り込みプロセスが完了した後、デジタルカメラ１００のユーザは、取り込み画像を見たいと思うかも知れない。簡易画像表示制御インタフェース１０２は、複数の取り込み画像を簡単かつ簡便に取り出して見るためのシステムおよび方法を提供する。以下に記載するように、制御ボタン１０４、１０６および／または１０８のうちの１つを作動させることによって、カメラプロセッサ２０４は、取り込み画像に対応するデジタル画像データを取り込み画像データ領域２１４から取り出し、画像をディスプレイ１２４上で表示し得る。他の実施形態では、取り込み画像に関連するデジタル画像データは、デジタルカメラ１００に接続されるメモリモジュールユニット１５６（図１）から取り出される。他の場合では、制御ボタン１０４、１０６および／または１０８のうちの１つを作動させることによって、光センサ２０６によって検出された現在の画像がディスプレイ１２４上に表示され得る。さらに、場合によっては、制御ボタン１０４、１０６および／または１０８の作動によって、ディスプレイ１２４の電源が切られ得る。取り込み画像を見ることを制御するため、光センサ２０６によって検出された現在の画像をライブでプレビューするため、ディスプレイ１２４の電源を切るための制御ボタン１０４、１０６および１０８の操作および機能性については、以下にさらに詳細に説明する。このように、３つの制御ボタン１０４、１０６および１０８は、ディスプレイ１２４の操作モードを制御するための簡単かつ使いやすい方法およびシステムを提供する。
【００２６】
説明の都合上、カメラプロセッサ２０４と制御ボタン１０４、１０６および１０８とを接続する接続部２３０は、個々の制御ボタン１０４、１０６および１０８のそれぞれに分岐するカメラプロセッサ２０４からの単一の接続部として例示されている。他の実施形態では、３つの個々の接続部は、制御ボタン１０４、１０６および１０８のそれぞれをカメラプロセッサ２０４に別個に接続するために用いられる。
【００２７】
図３は、デジタルカメラ１００（図１および図２）の選択された内部構成要素と通信する簡易画像表示制御インタフェース１０２（図１および図２）に採用された制御ボタン１０４、１０６および１０８を例示するブロック図である。制御ボタン１０４、１０６および１０８のそれぞれの機能性は、直観的なアイコンを制御ボタン１０４、１０６および１０８のそれぞれの上面に設けることによって、デジタルカメラ１００のユーザに示される。１つの実施形態では、制御ボタン１０４には、左側指示矢印アイコン３０２が含まれる。制御ボタン１０６には、「Ｘ」アイコン３０４が含まれる。制御ボタン１０８には、右側指示矢印アイコン３０６が含まれる。他の実施形態では、デジタルカメラのユーザが制御ボタン１０４、１０６および１０８の機能性および操作を簡単に理解できるように、デジタルカメラのユーザに認識可能な他の適切なアイコンおよび／またはテキストラベルが用いられる。さらに、制御ボタン１０４、１０６および１０８は、図１から図３に示すのとは異なる順序で、デジタルカメラ１００（図１）上に配置され得るか、またはデジタルカメラ１００の異なる場所に設けられ得る。
【００２８】
図３はまた、ディスプレイ１２４上に表示された画像３０８を例示する。画像３０８は、目的のオブジェクト３１０（ビジネスマン）を含む。画像３０８は、１つの実施形態では、太くて黒い画像境界線３１２で輪郭が描かれている。従って、ディスプレイ１２４の画像境界線３１２内の部分が取り込み画像に対応しており、ディスプレイ１２４の領域３１４として示される画像境界線の外側にあるディスプレイ１２４の部分が取り込み画像３０８と関連していないことをデジタルカメラ１００のユーザは理解する。光センサ２０６（図２）によって検出された現在の画像もまた、同様に表示される。他の実施形態では、画像境界線３１２は用いられず、画像３０８と表示領域３１４との間の境界は、色つき背景を異ならせる、質感を異ならせる、および／または他の適切な識別可能な相違によって示される。さらに他の実施形態では、画像３０８は、ディスプレイ１２４の全領域を占有するように構成される。
【００２９】
場合によっては、以下にさらに詳細に説明する制御ボタン１０４、１０６および１０８は、ディスプレイ１２４上に表示された画像の変更を制御する。１つの操作モードでは、制御ボタン１０６は、削除（デリート）ボタンとして機能する。従って、制御ボタン１０６が作動されると画像３０８に対応するデジタル画像データがメモリ２１０から削除されるような削除機能に、「Ｘ」アイコン３０４または他の適切なアイコンおよび／またはテキストラベルが対応することをデジタルカメラのユーザは認識する。他の実施形態では、表示された画像３０８に対応するデジタル画像データは、メモリモジュールユニット１５６（図１）から削除される。従って、デジタルカメラ１００のユーザは、画像３０８を消去するために、単に制御ボタン１０６を作動させるだけでよい。
【００３０】
表示された画像３０８に対応するデジタル画像データが削除されると、デジタルカメラ１００の１つの実施形態では、前に取り込まれた画像が表示される。他の実施形態では、画像データが削除された後、デジタルカメラ１００は、次に新しく取り込まれた画像を表示する。さらに他の実施形態では、デジタルカメラ１００は、光センサ２０６（図２）によって検出された現在の画像のライブ・プレビューを表示する。画像データを削除した後、メモリ内に画像が残っていない場合には、デジタルカメラ１００は、デフォルトで、現在の画像のライブ・プレビューを表示する。現在の画像のライブ・プレビューが表示されるとき、制御ボタン１０６が押されると、デジタルカメラの１つの実施形態では、ディスプレイ１２４の電源が切られる。
【００３１】
制御ボタン１０４および１０８は、１つの操作モードでは、ディスプレイ１２４上で複数の取り込み画像をスクロールする機能を果たす。制御ボタン１０４を作動させると、現在表示されている画像の前に取り込まれた画像がディスプレイ１２４上に表示される。このように、制御ボタン１０４を作動させることによって、先に取り込まれた画像がディスプレイ１２４上に表示されることを左側指示矢印アイコン３０２（または他の適切なアイコンおよび／もしくはテキストラベル）が示していることを、デジタルカメラ１００のユーザは理解する。制御ボタン１０４はまた、後方スクロールボタンとして知られている。
【００３２】
デジタルカメラ１００の１つの実施形態では、制御ボタン１０４を連続して作動させることによりディスプレイ１２４上で取り込まれた画像をスクロールすると、メモリ２１０（図１）、またはデジタルカメラ１００の実施形態によってはメモリモジュールユニット１５６（図１）に存在する最も古い取り込み画像が最終的に表示される。制御ボタン１０４が再び押されると、ディスプレイ１２４の電源は切られる。
【００３３】
他の実施形態では、これ以上前に取り込まれた画像を表示することはできないことを示すメッセージメニューが表示されても良い。次に、制御ボタン１０４を作動させることによって、ディスプレイ１２４の電源は切られる。このように、メモリ２１４（またはメモリモジュールユニット１５６）内に格納された最も古い画像まで取り込み画像をユーザがスクロールすると、作動制御ボタン１０４によってディスプレイ１２４の電源が切られることをユーザは理解する。
【００３４】
さらに他の実施形態では、制御ボタン１０４を作動させるとディスプレイ１２４は、最も古い取り込み画像が表示された後にライブ・プレビューを表示する。次に、制御ボタン１０４が再び作動されると、ディスプレイ１２４の電源は切られる。
【００３５】
同様に、右側指示矢印アイコン３０６は、ボタン１０６を作動させることによって、次の最新に取り込まれた画像がディスプレイ１２４に表示されることをユーザに示す。すなわち、制御ボタン１０８を作動させることによって、現在表示されている画像の直後に取り込まれた画像がディスプレイ１２４上に表示される。このように、制御ボタン１０８を作動させることによって、より最近取り込まれた画像が表示されることを右側指示矢印アイコン３０６（または他の適切なアイコンおよび／もしくはテキストラベル）が示していることをデジタルカメラ１００のユーザは簡単に理解する。制御ボタン１０８はまた、前方スクロールボタンとしても知られている。
【００３６】
デジタルカメラ１００の１つの実施形態では、制御ボタン１０８を順次作動させることによってディスプレイ１２４上で取り込み画像をスクロールさせると、メモリ２１０（図１）、またはデジタルカメラ１００の実施形態によってはメモリモジュールユニット１５６（図１）に存在する最近取り込まれた画像が最終的に表示される。制御ボタン１０８が再び押されると、光センサ２０６（図２）によって検出された現在の画像のライブ・プレビューがディスプレイ１２４上に表示される。
【００３７】
他の実施形態では、制御ボタン１０８が再び作動されると、ディスプレイ１２４の電源は切られる。他の実施形態では、これよりも先に取り込まれた画像は表示できないことを示すメッセージメニューが表示され得る。次に、制御ボタン１０８を作動させると、ディスプレイ１２４の電源は切られる。このように、メモリ２１４（またはメモリモジュールユニット１５６）内の最近格納された画像まで取り込み画像をユーザがスクロールすると、制御ボタン１０８を作動させることによってライブ・プレビューが表示されることをユーザは理解する。他の実施形態では、次に制御ボタン１０８を作動させると、ディスプレイ１２４の電源は切られる。
【００３８】
まとめると、制御ボタン１０４および１０８は、複数の取り込み画像を前方または後方にスクロールする機能を提供することがユーザに理解される。さらに、ユーザは、制御ボタン１０２を作動させると、最終的にディスプレイ１２４の電源が切られ、それによって、限られたバッテリ電源が節約されることを理解する。さらに、ユーザは、制御ボタン１０６を作動させると、最終的にライブ・プレビューが表示されることを理解する。
【００３９】
図４は、簡易画像表示制御インタフェース１０２（図１から図３も参照のこと）によって用いられる制御ボタン１０４、１０６および１０８を用いて画像を見るプロセスを例示するブロック図である。上記のように、複数の取り込み画像に対応するデジタルデータは、メモリ２１０（図２）のカメラ画像データ領域２１４に格納される。他の実施形態では、複数の取り込み画像に対応するデジタルデータは、メモリモジュールユニット１５６（図１）に格納される。ＰＩＣ１として表示される画像４０２は、デジタルカメラ１００のユーザによって「撮影」された第１の写真の略図である。すなわち、ＰＩＣ１は、メモリ２１０、またはデジタルカメラ１００の実施形態によってはメモリモジュールユニット１５６に存在する最も初期に取り込まれた画像である。
【００４０】
従って、ＰＩＣ２は、ＰＩＣ１に関連した画像が取り込まれた後に取り込まれた、次の最新の取り込み画像となる。同様に、ＰＩＣ３は、ＰＩＣ２の後に取り込まれたものである。図４に例示する仮想的な例では、複数の画像がメモリ２１０またはメモリモジュールユニット１５６に存在する。ＰＩＣｉは、最近取り込まれた画像に対応する。画像４０２（木）に関連した写真は、ライブ・プレビューモードで動作するときに光センサ２０６（図２）によって検出される現在の画像の表示画像を示すものとする。
【００４１】
この仮想例では、１つの実施形態において、ＰＩＣ１がディスプレイ１２４（図１から図３）上に現在表示されている画像であるとすると、制御ボタン１０８を作動させることによって、デジタルカメラ１００はディスプレイをＰＩＣ２に変更する。すなわち、デジタルカメラ１００のユーザが右側指示矢印ボタン３０６を有する制御ボタン１０８を作動させると、ディスプレイ１２４上に表示された画像は、矢印４０４によって示されるように、次の最新に取り込まれた画像（ここでは、ＰＩＣ２）にスクロールされる。
【００４２】
制御ボタン１０８の第２の作動によって、デジタルカメラ１００は、矢印４０６によって示されるように、ディスプレイ３１２上にＰＩＣ３を表示する。制御ボタン１０８を次に作動させることによって、デジタルカメラ１００は、矢印４０８によって示されるように、最近取り込まれた写真ＰＩＣｉがディスプレイ１２４上に表示されるまで、メモリ２１０またはメモリモジュールユニット１５６内に格納された画像をスクロールする。このように、デジタルカメラ１００のユーザは、制御ボタン１０８を作動させるとそのまま、ディスプレイ１２４上に表示された画像が、次の最新の取り込まれた画像まで単にスクロールされることを理解する。
【００４３】
最新の取り込まれた画像ＰＩＣｉがディスプレイ１２４上に表示されると、１つの実施形態では、次に制御ボタン１０８を作動させると、デジタルカメラは、矢印４１０によって示されるように、光センサ２０６（図２）によって検出される現在の画像をディスプレイ１２４上に表示する。すなわち、メモリ２１０またはメモリモジュールユニット１５６に最近取り込まれた画像がこれ以上存在しないため、デジタルカメラ１００は、ライブ・プレビューモードで動作するように命令される。上記のように、次に制御ボタン１０８を作動させると、ディスプレイ１２４の電源は切られる。
【００４４】
デジタルカメラ１００がライブ・プレビューモードで動作し、光センサ２０６（図２）によって検出される現在の画像がディスプレイ１２４（図１から図３）上に表示されると、制御ボタン１０４を作動させることによって、デジタルカメラ１００は、最新に取り込まれた画像（ＰＩＣｉ）を表示する。このように、ディスプレイ１２４上に表示される画像は、矢印４１２によって示されるように、画像４０２から画像ＰＩＣｉに変化する。従って、デジタルカメラ１００のユーザは、ユーザが光センサ２０６によって検出される現在の画像を表示しているときに制御ボタン１０４を作動させることによって、取り込まれメモリ２１０またはメモリモジュールユニット１５６に保存された画像を見れることを理解する。
【００４５】
さらに、ユーザは、次に制御ボタン１０４を作動させると、デジタルカメラ１００が、ディスプレイ１２４上に表示されている画像を、その前に取り込まれた画像に変更することを理解する。例えば、デジタルカメラ１００のユーザがＰＩＣ２を見ている場合、ユーザは、制御ボタン１０４を次に作動させることによって、矢印４１４で示されるようにデジタルカメラ１００がディスプレイ１２４上にＰＩＣ１を表示することを理解する。
【００４６】
１つの実施形態では、デジタルカメラ１００がプレビューモードで動作し、光センサ２０６（図２）によって検出された現在の画像がディスプレイ１２４上で表示され、メモリ２１０またはメモリモジュールユニット１５６内に格納された画像がない場合、制御ボタン１０４を作動させることによってディスプレイ１２４の電源を切る。このように、ユーザは、メモリ２１０（図２）、またはデジタルカメラ１００の実施形態によってはメモリモジュールユニット１５６（図１）に格納された画像がないことを理解する。
【００４７】
まとめると、３つの制御ボタン１０４、１０６および１０８を有する簡易画像表示制御インタフェース１０２は、簡単に理解できて使いやすいインタフェースを提供し、デジタルカメラ１００のユーザは、制御ボタン１０４および１０８を作動させるだけで、任意の所望のやり方で取り込み画像間をスクロールし得る。制御ボタン１０４上の左側指示画像アイコン３０２は、その前に取り込まれた画像を表示させることが理解される。ユーザが取り込み画像を最も古い取り込み画像までスクロールすると、次に制御ボタン１０４を作動させることによって、ディスプレイの電源は切られる。制御ボタン１０８上の右側指示矢印アイコン３０６は、次の最新に取り込まれた画像を表示することが理解される。ユーザが取り込み画像を最近取り込まれた画像までスクロールすると、次に制御ボタン１０８を作動させることによって、デジタルカメラ１００はライブ・プレビューを表示する。また、ユーザは、制御ボタン１０６を作動させることによって、「Ｘ」アイコン３０４によって示されるように、現在表示されている、以前に取り込まれた画像を削除する。
【００４８】
図５は、簡易画像表示制御インタフェース１０２（図１から図４）に採用された制御ボタン１０４、１０６および１０８（図１から図４）を用いてデジタルカメラ１００（図１から図２）を操作するためのプロセスを例示するフローチャート５００である。フローチャート５００は、画像表示制御論理１２６（図１および図２）をインプリメント（実現）するためのソフトウェアの見込みの有るインプリメントのアーキテクチャ、機能性および操作を示す。この点において、各ブロックは、モジュール、セグメントまたはコードの部分を示し、特定の論理機能をインプリメントするための１つまたは複数の実行可能な命令を含む。幾つかの代わりとなるインプリメントでは、ブロック内に記載される機能は、図５に示される順序とは異なる順序で起こるか、または簡易画像表示制御インタフェース１０２（図１から図４）の機能性から著しく逸脱せずにさらなる機能を有し得ることにも留意されたい。以下にさらに明確にするように、含まれる機能性に応じて、例えば、図５に連続して示される２つのブロックは、実際には、実質的に同時に実行されても良く、逆の順序で実行されても良く、またはブロックのいくつかはすべての場合において実行されなくても良い。このような変更および変形は、本開示の範囲内にあり、請求の範囲によって保護されるものとする。簡易画像表示制御インタフェース１０２（図１から図４）を用いるプロセスは、ブロック５０２で開始する。ブロック５０２において、デジタルカメラ１００は、制御ボタン１０４、１０６または１０８の少なくとも１つの作動を検出する。他の実施形態では、他の選択されたボタン、スイッチまたは他のユーザインタフェースデバイスを作動させることによって、フローチャート５００によって示されるプロセスが開始され得る。
【００４９】
ブロック５０４では、ディスプレイ１２４（図１から図３）に現在電源が入っているかどうかが判断される。ディスプレイ１２４に電源が入っていない場合（ＮＯ条件）、プロセスはブロック５０６に進み、ディスプレイ１２４に電源が入れられる。１つの実施形態では、最新に取り込まれた画像は、ディスプレイ１２４上に表示される。他の実施形態では、ディスプレイに電源が入れられると、最先に取り込まれた画像が表示される。さらに他の実施形態では、ユーザに適切なメニューが表示される。他の実施形態では、メモリ２１０内に画像が存在しない場合、デジタルカメラ１００は、デフォルトで、ライブ・プレビューモードの操作になり、光センサ２０６（図２）によって検出される現在の画像を表示する。まとめると、ユーザは、ディスプレイに電源が入っていない場合には、制御ボタン１０４、１０６または１０８のいずれか１つを作動させ、ディスプレイ１２４に電源を入れる。次に、プロセスはブロック５０２に戻り、制御ボタン１０４、１０６および１０８の１つが作動されるのを待つ。
【００５０】
ブロック５０４において、ディスプレイ１２４に現在電源が入っている場合（ＹＥＳ条件）、プロセスはブロック５０８に進む。ブロック５０８では、どの制御ボタン１０４、１０６または１０８が作動されたかが判断される。
【００５１】
右側指示矢印アイコン３０６（図３）を有する制御ボタン１０８がブロック５０８において作動されると、プロセスはブロック５１０に進む。ブロック５１０では、ディスプレイ１２４がライブ・プレビューモード操作で動作しているかどうかが判断される。ライブ・プレビューモード操作で動作している場合（ＹＥＳ条件）、プロセスはブロック５１２に進み、ディスプレイ１２４の電源は切られる。次に、プロセスはブロック５０２に進み、制御ボタン１０４、１０６または１０８の１つの作動が検出されるのを待つ。
【００５２】
しかし、ブロック５１０においてディスプレイがライブ・プレビューモードで動作していない場合（ＮＯ条件）、プロセスはブロック５１４に進み、ディスプレイ１２４は、次の最新に取り込まれた画像を表示する。すなわち、デジタルカメラ１００は、画像を示している表示画面１２４をユーザが見たことと、次の最新に取り込まれた画像を見るために制御ボタン１０８を作動させたこととを理解する。（１つの実施形態では、メモリ２１０またはメモリモジュールユニット１５６内に最近取り込まれた画像がこれ以上存在しない場合、画面はデフォルトでライブ・プレビューモードになり、光センサ２０６によって検出される現在の画像が表示される）。次に、プロセスはブロック５０２に戻り、制御ボタン１０４、１０６または１０８の他の１つが作動されるのを待つ。
【００５３】
あるいは、「Ｘ」アイコン３０４（図３）を有する制御ボタン１０６が、ブロック５０８で作動されると、プロセスはブロック５１６に進む。ブロック５１６では、ディスプレイ１２４がライブ・プレビューモード操作で動作しているかどうかが判断される。ライブ・プレビューモード操作で動作している場合（ＹＥＳ条件）、プロセスはブロック５１２に進み、ディスプレイ１２４の電源は切られる。次に、プロセスはブロック５０２に進み、制御ボタン１０４、１０６または１０８の１つの作動が検出されるのを待つ。
【００５４】
しかし、ブロック５１６においてディスプレイがライブ・プレビューモード（ＮＯ条件）で動作していない場合、プロセスはブロック５１８に進み、表示される画像に対応するデータは、メモリ２１０（またはデジタルカメラ１００の実施形態によってはメモリモジュールユニット１５６）から削除、消去または除去される。すなわち、デジタルカメラ１００は、画像を示している表示画面１２４をユーザが見て、デジタルカメラ１００のメモリから画像を削除することを意図して制御ボタン１０６を作動させたことを理解する。次に、プロセスはブロック５０２に戻り、制御ボタン１０４、１０６または１０８のうちの他の１つが作動されるのを待つ。（１つの実施形態では、表示される画像に対応するデータがデジタルカメラ１００によって削除された後、以前に取り込まれた次の画像がディスプレイ１２４上に表示される。代替的な実施形態では、次の最新に取り込まれた画像が表示される。さらに他の実施形態では、現在の画像のライブ・プレビューがディスプレイ１２４上に表示される）。
【００５５】
最後に、左側指示矢印アイコン３０２（図２）を有する制御ボタン１０４がブロック５０８において作動されると、プロセスはブロック５２０に進む。ブロック５２０では、ディスプレイ１２４がライブ・プレビューモード操作において動作しているかどうかが判断される。ライブ・プレビューモード操作において動作している場合（ＹＥＳ条件）、すなわち第１の写真を表示していない場合（図５におけるＮＯ条件）には、プロセスはブロック５１２に進み、ディスプレイ１２４の電源は切られる。次に、プロセスはブロック５０２に進み、制御ボタン１０４、１０６または１０８の１つの作動が検出されるのを待つ。
【００５６】
しかし、ブロック５２０において、ディスプレイがライブ・プレビューモード（ＮＯ条件）で動作していない場合、すなわち第１の写真を表示中の場合（図５におけるＹＥＳ条件）には、プロセスはブロック５２２に進み、ディスプレイ１２４は、その前に取り込まれた画像を表示する。すなわち、デジタルカメラ１００は、画像を示している表示画面１２４をユーザが見て、その前に取り込まれた画像を見るために制御ボタン１０４を作動させたことを理解する。（１つの実施形態では、メモリ２１０またはメモリモジュールユニット１５６内に前に取り込まれた画像が存在しない場合には、画面は、デフォルトで、ライブ・プレビューモードになり、光センサ２０６によって検出される現在の画像が表示される。）次に、プロセスは、ブロック５０２に戻り、制御ボタン１０４、１０６または１０８の他のうちの１つが作動されるのを待つ。
【００５７】
上記の簡易画像表示制御インタフェース１０２の実施形態（図１から図４）は、ディスプレイ１２４に対して水平な並び（ａｌｉｇｎｍｅｎｔ）で、制御ボタン１０４、１０６および１０８の配置を例示している。さらに、（画像データの削除機能を有しており「Ｘ」アイコン３０４で示される）制御ボタン１０６は、制御ボタン１０４と１０８との間に配置されているものとして例示される。他の実施形態では、簡易画像表示制御インタフェース１０２の制御ボタン１０４、１０６および１０８の並びおよび／または配置は、デジタルカメラ１００のユーザが制御ボタン１０４、１０６および１０８に簡単かつ簡便にアクセスできるのであれば、デジタルカメラ１００のいずれの場所でもよい。さらに、制御ボタン１０４、１０６および１０８は、互いに隣接している必要はない。例えば、１つの実施形態では、３つの制御ボタン１０４、１０６および１０８は、ディスプレイ１２４に対して垂直の並びで配置され得る。他の実施形態では、左側スクロール制御ボタン１０４は、ディスプレイ１２４の左側に設けられ、右側スクロール制御ボタン１０８は、ディスプレイ１４の右側に設けられる。さらに他の実施形態では、削除制御ボタン１０６は、２つのスクロール制御ボタン１０４および１０８から離れた都合のよい位置に配置される。
【００５８】
簡易画像表示制御インタフェース１０２（図１から図４）の上記の実施形態では、制御ボタン１０４、１０６および１０８は、ユーザによって押されて作動される圧力作動式ボタンとして記載されている。他の実施形態では、他の適切な高感度ボタンが用いられる。他の実施形態では、３つの制御ボタンは、ディスプレイの感圧部分として組み込まれ、ユーザは、制御ボタン１０４、１０６および／または１０８の１つに対応するアイコンを表示しているディスプレイの部分に触れるだけでよい。
【００５９】
本発明の上記の実施形態、特に「好ましい」実施形態は、単に本発明の原理を明確に理解するために提示される可能な実現例に過ぎないことを強調しておく。本発明の精神および原理から実質的に逸脱せずに、本発明の上記の実施形態に対して多くの変形および変更がなされ得る。このような変更および変形はすべて、本明細書では、本開示および本発明の範囲内に含まれ、添付の請求の範囲によって保護されるものとする。本発明には、例として以下のような実施の態様がある。
【００６０】
［実施の態様１］  画像を表示するための表示インタフェースであって、
画像を表示するように構成されたディスプレイ（１２４）と、
前記ディスプレイ（１２４）によって示される画像を、最新に取り込まれた次の画像に変更するように構成された第１のボタン（１０８）および
前記ディスプレイ（１２４）によって示される画像を、以前に取り込まれた次の画像に変更するように構成された第２のボタン（１０４）
を有する簡易画像表示制御インタフェース（１０２）と
を備え、
前記第１のボタン（１０８）は、さらに、最新に取り込まれた次の画像が存在しない場合にライブ・プレビューを表示するように構成され、
前記第２のボタン（１０４）は、さらに、以前に取り込まれた次の画像が存在しない場合に前記ディスプレイ（１２４）の電源を切るように構成されている表示インタフェース。
【００６１】
［実施の態様２］  前記ディスプレイ（１２４）によって示される画像に関連したデータを削除するように構成された第３のボタン（１０６）をさらに備え、
該第３のボタン（１０６）は、さらに、前記ディスプレイ（１２４）によって示される前記画像に関連する削除すべきデータが存在しない場合には前記ディスプレイ（１２４）の電源を切るように構成されている実施の態様１に記載の表示インタフェース。
【００６２】
［実施の態様３］  少なくとも１つの取り込み画像に対応するデータを格納するように構成されたメモリ（２１０）と、
前記メモリ（２１０）に接続され、前記第１のボタン（１０８）および前記第２のボタン（１０４）から信号を受信するように構成され、
前記第１のボタン（１０８）および前記第２のボタン（１０４）によって指定される取り込み画像に関連するデータを前記メモリ（２１０）から取り出すようにさらに構成されている
プロセッサユニット（２０４）と
をさらに備えた実施の態様１に記載の表示インタフェース。
【００６３】
［実施の態様４］  ディスプレイ（１２４）上の画像の表示を制御するための方法であって、
第１の制御ボタン（１０８）および第２の制御ボタン（１０４）を有する簡易画像表示制御インタフェース（１０２）の作動を検出するステップと、
前記第１の制御ボタン（１０８）が作動されると、前記ディスプレイ（１２４）上に最新に取り込まれた次の画像を表示するステップと、
前記第２の制御ボタン（１０４）が作動されると、前記ディスプレイ（１２４）上に以前に取り込まれた次の画像を表示するステップと、
前記第１の制御ボタン（１０８）が作動される場合に、最新に取り込まれた次の画像が前記ディスプレイ（１２４）上での表示用に利用可能かどうかを判断するステップと、
前記最新に取り込まれた次の画像が利用可能ではない場合には、画像センサ（２０６）によって検出される現在の画像を表示するステップと、
を含む方法。
【００６４】
［実施の態様５］  前記現在の画像が表示される場合に、前記第１の制御ボタン（１０８）の作動に応答して前記ディスプレイ（１２４）の電源を切るステップをさらに含む実施の態様４に記載の方法。
【００６５】
［実施の態様６］  前記第２の制御ボタン（１０４）が作動される場合に、以前に取り込まれた次の画像が前記ディスプレイ（１２４）上での表示用に利用可能かどうかを判断するステップと、
前記以前に取り込まれた画像が利用可能ではない場合、前記第２の制御ボタン（１０４）の作動に応答して前記ディスプレイ（１２４）の電源を切るステップと
をさらに含む実施の態様４に記載の方法。
【００６６】
［実施の態様７］  第３の制御ボタン（１０６）をさらに有する前記簡易画像表示制御インタフェース（１０２）の作動を検出するステップと、
前記第３の制御ボタン（１０６）が作動される場合には、前記ディスプレイ（１２４）上に示される画像に関連したデータを削除するステップと
をさらに含む実施の態様４に記載の方法。
【００６７】
［実施の態様８］  前記ディスプレイ（１２４）の電源が切れているかどうかを判断するステップと、
前記ディスプレイ（１２４）の電源が切れている場合、前記第１の制御ボタン（１０８）および前記第２の制御ボタン（１０４）のうちの１方の作動の検出に応答して前記ディスプレイ（１２４）の電源を入れるステップと
をさらに含む実施の態様４に記載の方法。
【００６８】
［実施の態様９］  ディスプレイ（１２４）上の画像の表示を制御するためのシステムであって、
第１の制御ボタン（１０８）、第２の制御ボタン（１０６）および第３の制御ボタン（１０４）を有する簡易画像表示制御インタフェース（１０２）の作動を検出する手段と、
前記第１の制御ボタン（１０８）が作動される場合、最新に取り込まれた次の画像を前記ディスプレイ上に表示する手段と、
前記第２の制御ボタン（１０６）が作動される場合、前記ディスプレイ上に示される画像に関連したデータを削除する手段と、
前記第３の制御ボタン（１０４）が作動される場合、以前に取り込まれた次の画像を前記ディスプレイ上に表示する手段と、
前記第１の制御ボタン（１０８）が作動される場合に、前記最新に取り込まれた次の画像が前記ディスプレイ（１２４）上での表示用に利用可能かどうかを判断する手段、および前記最新に取り込まれた次の画像が得られない場合には、画像センサ（２０６）によって検出される現在の画像を表示する手段と、
前記第２の制御ボタン（１０６）が作動される場合、前記ディスプレイ（１２４）上に示される画像に関連したデータが削除に用いることが可能かどうかを判断する手段、および前記データが用いられない場合、画像センサ（２０６）によって検出される現在の画像を表示する手段と、
前記第３の制御ボタン（１０４）が作動される場合、前記最新に取り込まれた次の画像が前記ディスプレイ（１２４）上での表示用に利用可能かどうかを判断する手段、および前記最新に取り込まれた次の画像得られない場合には、画像センサ（２０６）によって検出される現在の画像を表示する手段と
を備えたシステム。
【００６９】
［実施の態様１０］  画像を表示するための表示インタフェースであって、
デジタル画像取込装置（１００）と、
画像を表示するように構成された、前記デジタル画像取込装置（１００）に備わっているディスプレイ（１２４）と、
最新に取り込まれた画像が表示された後に前記ディスプレイ（１２４）上にライブ・プレビューを表示するように構成された第１のボタン（１０８）、および
最も古い取り込み画像が表示された後に前記ディスプレイ（１２４）の電源を切るように構成された第２のボタン（１０４）
を有する簡易画像表示制御インタフェース（１０２）と
を備えた表示インタフェース。
【図面の簡単な説明】
【図１】  簡易インタフェースを用いるデジタルカメラを例示するブロック図である。
【図２】  図１のデジタルカメラの選択された内部構成要素を例示するブロック図である。
【図３】  図１のデジタルカメラの選択された内部構成要素と通信する簡易インタフェースに採用された操作ボタンを例示するブロック図である。
【図４】  図１から図３の簡易インタフェースによって用いられる制御ボタンを用いて画像を見るプロセスを例示するブロック図である。
【図５】  図１から図４の簡易インタフェースによって用いられる制御ボタンを用いて図１のデジタルカメラを操作するためのプロセスを例示するフローチャートである。
【符号の説明】
１０２  画像表示制御インタフェース
１２４  ディスプレイ
１０４，１０６，１０８  制御ボタン
２０４  プロセッサユニット
２０６  画像センサ
２１０  メモリ
【図１】
0004126216.tif 000002
【図２】
0004126216.tif 000003
【図３】
0004126216.tif 000004
【図４】
0004126216.tif 000005
【図５】
0004126216.tif 000006